【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
特定のシートサイズと、第１候補のシート種類と、第２候補のシート種類とが、印刷に使用するシートを特定するための情報として指定された印刷ジョブを受信する受信手段と、
シートサイズが前記特定のシートサイズであり、かつ、シート種類が前記第１候補のシート種類であるシートに印刷を実行できる場合に、シートサイズが前記特定のシートサイズであり、かつ、シート種類が前記第１候補のシート種類であるシートに印刷を実行し、
シートサイズが前記特定のシートサイズであり、かつ、シート種類が前記第１候補のシート種類であるシートに印刷を実行できず、シートサイズが前記特定のシートサイズであり、かつ、シート種類が前記第２候補のシート種類であるシートに印刷を実行できる場合に、シートサイズが前記特定のシートサイズであり、かつ、シート種類が前記第２候補のシート種類であるシートに印刷を実行する印刷手段とを備えることを特徴とする印刷装置。
【請求項２】
前記受信手段が受信した前記印刷ジョブにおいて指定されている情報が示す複数のシートのいずれにも印刷を実行できない場合に、印刷に使用するシートがないことをユーザに通知する通知手段を更に備えることを特徴とする請求項１に記載の印刷装置。
【請求項３】
前記受信手段が受信した前記印刷ジョブにおいて指定されている情報が示す複数のシートのいずれにも印刷を実行できない場合に、印刷に使用するシートがないことを示すメッセージを表示する表示手段を更に備えることを特徴とする請求項１に記載の印刷装置。
【請求項４】
複数のシート保持手段と、
特定のシートサイズと、第１候補のシート種類と、第２候補のシート種類とが、印刷に使用するシートを特定するための情報として指定された印刷ジョブを受信する受信手段と、
シートサイズが前記特定のシートサイズであり、かつ、シート種類が前記第１候補のシート種類であるシートが前記複数のシート保持手段のいずれかに設定されている場合に、シートサイズが前記特定のシートサイズであり、かつ、シート種類が前記第１候補のシート種類であるシートが設定されているシート保持手段から給紙されたシートに印刷を実行し、
シートサイズが前記特定のシートサイズであり、かつ、シート種類が前記第１候補のシート種類であるシートが前記複数のシート保持手段のいずれにも設定されておらず、シートサイズが前記特定のシートサイズであり、かつ、シート種類が前記第２候補のシート種類であるシートが前記複数のシート保持手段のいずれかに設定されている場合に、シートサイズが前記特定のシートサイズであり、かつ、シート種類が前記第２候補のシート種類であるシートが設定されているシート保持手段から給紙されたシートに印刷を実行する印刷手段とを備えることを特徴とする印刷装置。
【請求項５】
前記受信手段が受信した前記印刷ジョブにおいて指定されている情報が示す複数のシートが前記複数のシート保持手段のいずれにも設定されていない場合に、印刷に使用するシートがないことをユーザに通知する通知手段を更に備えることを特徴とする請求項４に記載の印刷装置。
【請求項６】
前記受信手段が受信した前記印刷ジョブにおいて指定されている情報が示す複数のシートが前記複数のシート保持手段のいずれにも設定されていない場合に、印刷に使用するシートがないことを示すメッセージを表示する表示手段を更に備えることを特徴とする請求項４に記載の印刷装置。
【請求項７】
特定のシートサイズと、第１候補のシート種類と、第２候補のシート種類とが、印刷に使用するシートを特定するための情報として指定された印刷ジョブを受信する受信ステップと、
シートサイズが前記特定のシートサイズであり、かつ、シート種類が前記第１候補のシート種類であるシートに印刷を実行できる場合に、シートサイズが前記特定のシートサイズであり、かつ、シート種類が前記第１候補のシート種類であるシートに印刷を実行し、
シートサイズが前記特定のシートサイズであり、かつ、シート種類が前記第１候補のシート種類であるシートに印刷を実行できず、シートサイズが前記特定のシートサイズであり、かつ、シート種類が前記第２候補のシート種類であるシートに印刷を実行できる場合に、シートサイズが前記特定のシートサイズであり、かつ、シート種類が前記第２候補のシート種類であるシートに印刷を実行する印刷ステップとを有することを特徴とする印刷装置の制御方法。
【請求項８】
複数のシート保持手段を備える印刷装置の制御方法であって、
特定のシートサイズと、第１候補のシート種類と、第２候補のシート種類とが、印刷に使用するシートを特定するための情報として指定された印刷ジョブを受信する受信ステップと、
シートサイズが前記特定のシートサイズであり、かつ、シート種類が前記第１候補のシート種類であるシートが前記複数のシート保持手段のいずれかに設定されている場合に、シートサイズが前記特定のシートサイズであり、かつ、シート種類が前記第１候補のシート種類であるシートが設定されているシート保持手段から給紙されたシートに印刷を実行し、
シートサイズが前記特定のシートサイズであり、かつ、シート種類が前記第１候補のシート種類であるシートが前記複数のシート保持手段のいずれにも設定されておらず、シートサイズが前記特定のシートサイズであり、かつ、シート種類が前記第２候補のシート種類であるシートが前記複数のシート保持手段のいずれかに設定されている場合に、シートサイズが前記特定のシートサイズであり、かつ、シート種類が前記第２候補のシート種類であるシートが設定されているシート保持手段から給紙されたシートに印刷を実行する印刷ステップとを有することを特徴とする印刷装置の制御方法。
【請求項９】
請求項７又は８に記載の印刷装置の制御方法をコンピュータに実行させるためのプログラム。
【手続補正２】
【補正対象書類名】明細書
【補正対象項目名】発明の名称
【補正方法】変更
【補正の内容】
【発明の名称】印刷装置、印刷装置の制御方法、及び、プログラム
【手続補正３】
【補正対象書類名】明細書
【補正対象項目名】０００１
【補正方法】変更
【補正の内容】
【０００１】
本発明は、印刷装置、印刷装置の制御方法、及び、プログラムに関する。
【手続補正４】
【補正対象書類名】明細書
【補正対象項目名】００２１
【補正方法】変更
【補正の内容】
【００２１】
本発明の目的は、ユーザが許容できるメディアに印刷を行うことができる仕組みを提供することである。
【手続補正５】
【補正対象書類名】明細書
【補正対象項目名】００２２
【補正方法】変更
【補正の内容】
【００２２】
上述した課題を解決するために、本発明が提供する印刷装置は、特定のシートサイズと、第１候補のシート種類と、第２候補のシート種類とが、印刷に使用するシートを特定するための情報として指定された印刷ジョブを受信する受信手段と、シートサイズが前記特定のシートサイズであり、かつ、シート種類が前記第１候補のシート種類であるシートに印刷を実行できる場合に、シートサイズが前記特定のシートサイズであり、かつ、シート種類が前記第１候補のシート種類であるシートに印刷を実行し、シートサイズが前記特定のシートサイズであり、かつ、シート種類が前記第１候補のシート種類であるシートに印刷を実行できず、シートサイズが前記特定のシートサイズであり、かつ、シート種類が前記第２候補のシート種類であるシートに印刷を実行できる場合に、シートサイズが前記特定のシートサイズであり、かつ、シート種類が前記第２候補のシート種類であるシートに印刷を実行する印刷手段とを備えることを特徴とする。
また、本発明の印刷装置は、複数のシート保持手段と、特定のシートサイズと、第１候補のシート種類と、第２候補のシート種類とが、印刷に使用するシートを特定するための情報として指定された印刷ジョブを受信する受信手段と、シートサイズが前記特定のシートサイズであり、かつ、シート種類が前記第１候補のシート種類であるシートが前記複数のシート保持手段のいずれかに設定されている場合に、シートサイズが前記特定のシートサイズであり、かつ、シート種類が前記第１候補のシート種類であるシートが設定されているシート保持手段から給紙されたシートに印刷を実行し、シートサイズが前記特定のシートサイズであり、かつ、シート種類が前記第１候補のシート種類であるシートが前記複数のシート保持手段のいずれにも設定されておらず、シートサイズが前記特定のシートサイズであり、かつ、シート種類が前記第２候補のシート種類であるシートが前記複数のシート保持手段のいずれかに設定されている場合に、シートサイズが前記特定のシートサイズであり、かつ、シート種類が前記第２候補のシート種類であるシートが設定されているシート保持手段から給紙されたシートに印刷を実行する印刷手段とを備えることを特徴とする。
【手続補正６】
【補正対象書類名】明細書
【補正対象項目名】００２３
【補正方法】変更
【補正の内容】
【００２３】
本発明によれば、ユーザが許容できるメディアに印刷を行うことができる。